(57)【要約】【課題】表示部を構成する画素数を超える撮像素子から出力される信号を、表示部の画素数に適合するように変換する。【解決手段】（ａ）８個の撮像領域から構成され、各撮像領域から並列的に撮像信号を出力可能である領域分割型撮像素子３０１と、（ｂ）各撮像領域から出力された８組の並列撮像信号を、マトリクス状の４組の並列画像信号に変換する８／４変換部（第１の変換部）６と、（ｃ）８／４変換部６から出力された４組の並列画像信号を４組の直列画像信号に変換する並列／直列変換部８と、（ｄ）４組の直列画像信号を表示部に画像表示させるために１組の直列画像信号に変換するＨＤＴＶ変換装置（第２の変換部）１０１と、（ｅ）ＨＤＴＶ変換装置１０１から出力された１組の直列画像信号を表示するビューファインダー（表示部）３とを具備する。【選択図】　　　図１
2004015301.tif 000002
【特許請求の範囲】
【請求項１】
Ｎ個の撮像領域から構成され、各前記撮像領域から並列的に撮像信号を出力可能である領域分割型撮像素子と、
各前記撮像領域から出力されたＮ組の並列撮像信号を、マトリクス状のＭ組の並列画像信号に変換する第１の変換部と、
前記第１の変換部から出力されたＭ組の並列画像信号をＭ組の直列画像信号に変換する並列／直列変換部と、
前記Ｍ組の直列画像信号を表示部に画像表示させるために１組の直列画像信号に変換する第２の変換部と、
前記第２の変換部から出力された前記１組の直列画像信号を表示する表示部とを具備することを特徴とするビューファインダー表示システム。
【請求項２】
Ｎ個の撮像領域のそれぞれから並列的に撮像信号を出力する撮像信号出力ステップと、
各前記撮像領域から出力されたＮ組の並列撮像信号を、マトリクス状のＭ組の並列画像信号に変換する第１の変換ステップと、
前記Ｍ組の並列画像信号をＭ組の直列画像信号に変換する並列／直列変換ステップと、
前記Ｍ組の直列画像信号を表示部に画像表示させるために１組の直列画像信号に変換する第２の変換ステップと、
前記１組の直列画像信号を表示する表示ステップとを含むことを特徴とするビューファインダー表示方法。
【発明の詳細な説明】
【０００１】
【発明の属する技術分野】
本発明は、ビューファインダー表示システムおよび表示方法に関し、特に高解像度のＨＤＴＶ（Ｈｉｇｈ　Ｄｅｆｉｎｉｔｉｏｎ　Ｔｅｌｅｖｉｓｉｏｎ）標準規格などによって定められている規定画素数以上の撮像素子を用いて出力した信号を表示するビューファインダー表示システムおよび表示方法に関する。
【０００２】
【従来の技術】
図１１は、従来のビューファインダー表示方法の処理の流れの一例を示す。図１１に示すように、光学的に連続した被写体の光像をレンズを用いて集光し（ステップＳ４２）、プリズムを用いてＲＧＢの３原色光に分解し（ステップＳ４３）、各原色光を各色用の撮像素子に送る（ステップＳ４４）。
【０００３】
撮像素子は、例えばＨＤＴＶ画像用の画素数１９２０×１０８０と同数使用される。従って、撮像素子はクロック周波数７４．２５ＭＨｚ、水平駆動周波数３３．７５ｋＨｚ、垂直駆動周波数３０Ｈｚで駆動される。撮像素子からは各駆動周波数に基づいたアナログ原色信号が出力される。
【０００４】
撮像素子から出力されたアナログ原色信号に輝度、コントラスト、ガンマ、ホワイトバランス、輪郭強調等の各種補正を行う（ステップＳ４５）。このとき撮像素子に特有な固定ノイズがあれば、これも除去する。例えば、撮像素子にＣＣＤ（Ｃｈａｒｇｅ　Ｃｏｕｐｌｅｄ　Ｄｅｖｉｃｅ）センサを用いる場合は、固定パターンノイズ、暗電流のばらつきノイズ等を除去する。
【０００５】
次に、この補正されたアナログ信号をＡ／Ｄ変換装置を用いて、例えば１０ビットの並列デジタル信号に変換する（ステップＳ４６）。更に、ＲＧＢ３原色信号を、色差変換部を用いて輝度信号Ｙ、色差信号ＰｂＰｒに変換する（ステップＳ４７）。さらに、この輝度信号Ｙ、色差信号ＰｂＰｒを並列／直列変換部を用いて１つにまとめて（ステップＳ４８）、直列デジタル信号として出力する（ステップＳ４９）。
【０００６】
このようにすると、直列伝送路である一組の伝送ケーブルで信号を送ることができ（ステップＳ４９）、並列デジタル信号の場合のように複数組のケーブルで信号を送らなくても良い。画像表示側では、このようにして伝送されたデジタル直列信号を受信し、直列／並列変換部により並列デジタル信号に戻し（ステップＳ５０）、更に色復調部を用いて輝度信号Ｙと色差信号ＰｂＰｒからＲＧＢ信号に復調し（ステップＳ５１）、Ｄ／Ａ変換部を用いてデジタル信号をアナログ信号に変換し（ステップＳ５２）、画像表示部に画像を表示する（ステップＳ５３）。
【０００７】
このように従来、高解像度のＣＲＴ表示装置は、カラー化が難しいのと地磁気による色ずれの影響があるため単色で用いていた。
【０００８】
【発明が解決しようとする課題】
しかるに、上記の従来方法では、高解像度化のために撮像素子数を増加させた場合、表示装置の画素数もそれに合わせて増加させる必要がある。例えば、ＨＤＴＶ画像の縦横各２倍、つまり面積４倍（３８４０×２１６０）の撮像素子から出力された信号を扱う場合、光学的な全画面領域を表示するためには、テレビカメラに設置されるビューファインダーも同等の画素数を必要とする。このため、ＨＤＴＶ用のビューファインダー４組の表示画面を一体にして用いなければならない。ここで、「光学的な全画面」とは、被写体を撮像することによって出力される全信号を、同時に表示可能な画面領域という意味である。
【０００９】
既存のＨＤＴＶ用のビューファインダーは、テレビカメラ上に設置できる程度にコンパクトに、しかし表示面はできるだけ大きくという思想で設計されている。このため、テレビカメラ上に複数台のビューファインダーを設置したのでは、形状および重量ともに大きくなりすぎ、操作性および敏捷性を欠くため実用的ではない。また、小型かつ高解像度のビューファインダーは市販されておらず、入手は困難である。
【００１０】
本発明は、上記の点に鑑みてなされたものであり、表示部を構成する画素数を超える撮像素子から出力された信号を（１）表示部の画素数に合わせて縮小したり、（２）複数組の信号の中から一組を選択することにより、既存のビューファインダーに表示可能なシステムおよび方法を提供することを目的とする。
【００１１】
【課題を解決するための手段】
本発明は、上記課題を解決するためになされたものであり、その第１の特徴は（ａ）Ｎ個の撮像領域から構成され、各撮像領域から並列的に撮像信号を出力可能である領域分割型撮像素子と、（ｂ）各撮像領域から出力されたＮ組の並列撮像信号を、マトリクス状のＭ組の並列画像信号に変換する第１の変換部と、（ｃ）第１の変換部から出力されたＭ組の並列画像信号をＭ組の直列画像信号に変換する並列／直列変換部と、（ｄ）Ｍ組の直列画像信号を表示部に画像表示させるために１組の直列画像信号に変換する第２の変換部と、（ｅ）第２の変換部から出力された１組の直列画像信号を表示する表示部とを具備することにある。
【００１２】
このようなシステムによれば、撮像素子から出力された信号が、所定画素数の表示部に一度に出力しきれない量である場合に、その量を所定画素数の表示部に一度に出力可能な値に低減することが可能となる。
【００１３】
ここで「Ｍ組の並列信号をＭ組の直列信号に変換する」とは、複数の伝送路が必要な並列信号を単一の伝送路で済む直列信号に変換することである。
【００１４】
また、Ｍ組の直列画像信号を１組の直列画像信号に変換する第２の変換部は、Ｍ組の直列画像信号から１組の直列信号を選択する選択部、Ｍ組の直列画像信号の各組から１組の直列画像信号を構成するために必要な信号を取り出す取り出し部などを有することが好ましい。
【００１５】
また、本発明の第２の特徴は、（ａ）Ｎ個の撮像領域のそれぞれから並列的に撮像信号を出力する撮像信号出力ステップと、（ｂ）各撮像領域から出力されたＮ組の並列撮像信号を、マトリクス状のＭ組の並列画像信号に変換する第１の変換ステップと、（ｃ）Ｍ組の並列画像信号をＭ組の直列画像信号に変換する並列／直列変換ステップと、（ｄ）Ｍ組の直列画像信号を表示部に画像表示させるために１組の直列画像信号に変換する第２の変換ステップと、（ｅ）１組の直列画像信号を表示する表示ステップとを含むことにある。
【００１６】
このような方法によれば、撮像素子から出力された信号が、所定画素数の表示部に出力するには信号量過多である場合に、その信号量を所定の画素数の表示部に一度に出力可能な量に低減することができる。
【００１７】
また、Ｍ組の直列画像信号を１組の直列画像信号に変換するステップは、Ｍ組の直列画像信号から１組の直列信号を選択するステップ、Ｍ組の直列信号の各組から１組の画像信号を構成するために必要な信号を取り出すステップなどを含むことが好ましい。
【００１８】
【発明の実施の形態】
以下に本発明の実施の形態を図面を参照しつつ詳細に説明するが、本発明はこれらの実施の形態に限定されるものではない。
【００１９】
図１は本発明の実施の形態にかかるビューファインダー表示システムの構成を示すブロック図であり、図２は撮像部２の構成を示し、図３は８／４変換部６の構成を示し、図４は８／４変換部６の入力データ、出力データを説明するための図であり、図５はＨＤＴＶ変換装置１０１の構成を示し、図６はＨＤＴＶ変換装置１０１の入力データ、出力データを説明するための図であり、図７は本発明の実施の形態にかかるビューファインダー表示方法の処理の流れを示すフローチャートである。以下の図面の記載において、同一又は類似の部分には同一又は類似の符号を付している。
【００２０】
図１に示すように、本発明の実施の形態にかかるビューファインダー表示システムは、レンズ１と、撮像部２と、ビューファインダー３と、Ａ／Ｄ変換部４と、信号処理部５と、８／４変換部６（第１の変換部）と、色差変換部７と、並列／直列変換部８と、４直列伝送路９ａと、ＨＤＴＶ変換部１０１（第２の変換部）と、直列伝送路１０と、ＨＤＴＶ表示装置１０２と、超高精細表示装置１０３とから構成される。
【００２１】
図７に示すように、光学的に連続した被写体の光像をレンズ１を用いて集光し（ステップＳ７０１）、撮像部２内のプリズムを用いてＲＧＢの３原色に分解し（ステップＳ７０３）、分解された各色光像を例えばＨＤＴＶ画像のほぼ４倍の画素数を持つ撮像部２内の８分割撮像素子（領域分割型撮像素子）に結像させ、光学像を電気信号に変換させる（ステップＳ７０５）。
【００２２】
図２に示すように、８分割撮像素子は、撮像領域３０１がＡ０からＡ７の８つの領域に分割して制御される。撮像領域３０１はＣＭＯＳ（相補型金属酸化膜半導体）で構成され、３８４０×２１６０の撮像素子を有している。撮像領域３０１を水平方向に８分割（Ａ０〜Ａ７）することにより撮像素子の駆動周波数を低くしている。各エリアの画素数は、横方向が４８０個で縦方向が２１６０個である。縦方向は連続して撮像素子に照射された被写体光像の電気信号を出力する。ＣＤＳ（相関二重サンプリング：ｃｏｒｒｅｌａｔｅｄ　ｄｏｕｂｌｅ　ｓａｍｐｌｉｎｇ）３０４では被写体光像を照射したときの電気信号と照射しないときの電気信号とが同じに加えられ、これにより隣接画素間の相関ノイズを除去する。その後、オフセット／ゲイン調整回路３０５で直流成分と利得を制御し撮像信号を得る。
【００２３】
撮像領域３０１の各撮像素子を駆動する駆動部は、水平同期信号駆動部３０２と垂直同期信号駆動部３０３より構成される。
【００２４】
水平同期信号駆動部３０２は８個の水平アドレス回路Ｈａｄ０〜７を持ち、それぞれ水平アドレスを８分割された撮像領域３０１の画素に対して同時に読み出しアドレスを送る。従って、水平アドレス回路Ｈａｄ０〜７の回路構成は同じである。
【００２５】
垂直同期信号駆動部３０３は、スタートアドレスＶａｄｓとエンドアドレスＶａｄｅを外部より指定可能な構成とし、これにより撮像領域３０１の読み出しライン位置と読み出し範囲を任意に制御する。このスタートアドレスＶａｄｓとエンドアドレスＶａｄｅとの間のライン数を２１６０とすることにより、３８４０×２１６０の画像を得る。なお、撮像領域３０１に並ぶ撮像素子は、ＲＧＢ（Ｒｅｄ、Ｇｒｅｅｎ、Ｂｌｕｅ）の３点を１単位とする。
【００２６】
動画撮像時におけるＨＤＴＶの垂直同期信号の周波数は３０Ｈｚにする必要がある。本実施の形態の垂直同期信号駆動部３０３の周波数をＨＤＴＶと同じ３０Ｈｚとし、撮像領域３０１の全撮像素子数をＨＤＴＶの４倍とするなら、撮像領域３０１の各撮像素子の駆動周波数（画素単位のクロック周波数）はＨＤＴＶ用撮像素子の駆動周波数の４倍にする必要がある。
【００２７】
しかしながら、例えばＨＤＴＶ用撮像素子の駆動周波数は、７４．２５ＭＨｚと高速であり、この４倍の２９７ＭＨｚで撮像領域３０１の撮像素子を駆動させることは困難である。しかし、垂直同期信号駆動部３０３の駆動周波数を３０Ｈｚ以下にするとフリッカーが目立ち、動画の動きもぎこちなくなる。
【００２８】
そこで、本実施の形態では、撮像領域３０１を水平方向に８分割した８分割撮像素子（Ａ０〜Ａ７）を使用することにより、各撮像素子の駆動周波数を２９７ＭＨｚの８分の１である３７．１２５ＭＨｚに減少させることができる。この時の水平同期信号駆動部３０２の水平駆動周波数は、一画面当たりの画素伝送量をＨＤＴＶ用撮像素子と同じにするために、ＨＤＴＶ用撮像素子の水平駆動周波数（３３．７５ｋＨｚ）の２倍、つまり６７．５ｋＨｚとなるが、垂直同期信号駆動部３０３の垂直駆動周波数はＨＤＴＶ用撮像素子の垂直駆動周波数と同じ３０Ｈｚに保たれるため、動画の場合でも特に問題とはならない。「一画面当たりの画素伝送量をＨＤＴＶ用撮像素子と同じにする」とは、垂直ライン数が２倍で垂直駆動周波数が３０Ｈｚと同じため、水平駆動周波数を２倍にするという意味である。
【００２９】
撮像素子としてＣＭＯＳセンサを使用する場合、固定雑音補正は垂直方向を主に連続して行われるため、できるだけ垂直方向で分離しないことが良い性能を得る条件となる。
【００３０】
撮像部２内の８分割撮像素子（Ａ０〜Ａ７）の各々により撮像されて取り出された８組の信号は、８並列のＡ／Ｄ（アナログ／デジタル）変換部４でアナログ信号からデジタル信号へ変換され（図７のステップＳ７０７）、その後、信号処理部５内の８並列の各種補正回路で各種補正が別々に行われる（ステップＳ７０９）。各種補正には、輝度、コントラスト、ガンマ、ホワイトバランス、輪郭の補正等が含まれる。
【００３１】
８分割撮像素子（Ａ０〜Ａ７）の各撮像素子の駆動周波数が、従来のＨＤＴＶ用撮像素子の駆動周波数の半分の３７．１２５ＭＨｚであるので、８並列のＡ／Ｄ変換部４におけるデジタル演算、および信号処理部５内に設けられる８並列の各種補正回路におけるデジタル演算も容易になり、従って各種補正もデジタル信号で扱えるので、均一な補正ができる。アナログ演算ではなくデジタル演算であるため、演算対象の信号を８分割しても、各信号の補正演算均一性は容易に得られる。
【００３２】
このように、本実施の形態では、撮像領域３０１の撮像素子、Ａ／Ｄ変換部４、信号処理部５内の各種補正回路等の、標準化が確立されていない部分の駆動周波数を低減して、動作の確実なデジタル状態で使用することができる。
【００３３】
次に、８並列の分割撮像信号をできるだけ標準信号として扱うため、デジタル演算処理後、８／４変換部６内において８並列の撮像信号を４並列の撮像信号に変換する（ステップＳ７１０）。
【００３４】
図４（Ａ）に示すように、８分割入力データを生成する各撮像領域（Ａ０〜Ａ７のそれぞれ）は、横４８０個×縦２１６０個の撮像素子から構成され、図４（Ｂ）に示すように、４並列出力データによって構成される各分割画面（Ｂ０〜Ｂ３のそれぞれ）は、横１９２０個×縦１０８０個の画素から構成されている。つまり、各撮像領域の横方向の撮像素子数の整数倍＝分割画面の横方向の画素数であり、各撮像領域の縦方向の撮像素子数の整数分の１＝分割画面の縦方向の画素数である。より具体的には、各撮像領域の横方向の撮像素子数の４倍＝分割画面の横方向の画素数であり、各撮像領域の縦方向の撮像素子数の２分の１＝分割画面の縦方向の画素数である。４分割された各分割画面の横方向および縦方向の各画素数は、ＨＤＴＶ画像の横方向および縦方向の有効画素数と同じである。また、各分割画面に含まれる画素数は、各撮像領域に含まれる撮像素子数の２倍になる。よって各画素の駆動周波数は、各撮像素子の駆動周波数（３７．１２５ＭＨｚ）の２倍（７４．２５ＭＨｚ：ＨＤＴＶ標準）となる。
【００３５】
図４（Ａ）および（Ｂ）に示すように、撮像領域Ａ０の上半分、撮像領域Ａ１の上半分、撮像領域Ａ２の上半分、および撮像領域Ａ３の上半分に対応する信号から、分割画像Ｂ０に対応する信号が得られる。同様に、撮像領域Ａ４の上半分、撮像領域Ａ５の上半分、撮像領域Ａ６の上半分、および撮像領域Ａ７の上半分に対応する信号から、分割画像Ｂ１に対応する信号が得られる。また、撮像領域Ａ０の下半分、撮像領域Ａ１の下半分、撮像領域Ａ２の下半分、および撮像領域Ａ３の下半分に対応する信号から、分割画像Ｂ２に対応する信号が得られる。さらに、撮像領域Ａ４の下半分、撮像領域Ａ５の下半分、撮像領域Ａ６の下半分、および撮像領域Ａ７の下半分に対応する信号から、分割画像Ｂ３に対応する信号が得られる。
【００３６】
図３に示すように、８／４変換部６は、メモリー６１、メモリー６２、アドレス選択回路６３、書き込みアドレス発生回路６４および読み出しアドレス発生回路６５から構成される。まず、メモリー６１に８分割入力データを縦２１６０×横４８０画素を１単位として８単位同時に並列書き込みする。次に、縦１０８０×横１９２０画素を１単位として４単位同時に４並列出力データとしてメモリー６１から読み出す。メモリー６２はメモリー６１に対して、書き込みタイミング、読み出しタイミングを逆にする。こうすることによって、メモリー６１に書き込みしているときに、メモリー６２から読み出し、一方メモリー６２に書き込みしているときに、メモリー６１から読み出すことが可能となる。つまり、書き込み、読み出しのいずれについても時間的な連続性を確保することができる。
【００３７】
メモリー６１，６２の制御は、次のようにして行う。８分割入力データを書き込むために水平同期信号（ＨＤ），垂直同期信号（ＶＤ），クロック信号（Ｃｌｏｃｋ）などのＨＤＴＶ同期信号を書き込みアドレス発生回路６４に送り、書き込みアドレスを発生させる。同様に、４並列出力データを読み出すために水平同期信号（ＨＤ），垂直同期信号（ＶＤ），クロック信号（Ｃｌｏｃｋ）などのＨＤＴＶ同期信号を読み出しアドレス発生回路６５に送り、読み出しアドレスを発生させる。これら２つのアドレスをアドレス選択回路６３にＶＤと共に送る。アドレス選択回路６３ではＶＤ毎に書き込み（Ｗ）／読み出し（Ｒ）が交互に行われるように、選択信号Ｗ／Ｒと反対のＲ／Ｗとを作り、この選択信号にあわせたアドレスをメモリー６１またはメモリー６２に送り、書き込みと読み出しがメモリー６１，６２のそれぞれで交互に行われるようにして出力を連続的なものとする。つまり、アドレス選択回路６３は、（１）メモリー６１へ書き込みアドレスを送るときは、メモリー６２へ読み出しアドレスを送り、（２）メモリー６２へ書き込みアドレスを送るときは、メモリー６１へ読み出しアドレスを送る。８／４変換部６は、ＲＧＢの３原色光の各成分信号を４並列データとして出力する。つまり、４並列出力データのそれぞれにＲ、Ｇ、Ｂが含まれる。
【００３８】
色差変換部７は、８／４変換部６からＲＧＢ各成分に関する４並列出力データを受け取り、ＨＤＴＶ標準規格ＢＴＡ　Ｓ−００２Ｂに準拠する輝度色差信号Ｙ／Ｐｂ／Ｐｒ４並列信号に変換する（ステップＳ７１１）。４並列出力データのそれぞれに（１）輝度信号Ｙ、（２）青（Ｂｌｕｅ）の色差信号Ｐｂ、（３）赤（Ｒｅｄ）の色差信号Ｐｒが含まれる。
【００３９】
輝度信号Ｙ、色差信号Ｐｂおよび色差信号Ｐｒのうち、輝度信号Ｙを１０ビットの並列デジタル信号とし、帯域制限された色差信号Ｐｂおよび色差信号Ｐｒをそれぞれ駆動周波数半分の１０ビットの並列デジタル信号とする。これら駆動周波数半分の色差信号Ｐｂと色差信号Ｐｒを合成することによって駆動周波数が輝度信号Ｙと同じ１０ビットの並列デジタル信号とすることができる。例えば、輝度信号Ｙは駆動信号７４．２５ＭＨｚで１０ビットとする。色差信号ＰｂおよびＰｒは３７．１２５ＭＨｚで駆動させた後、駆動信号７４．２５ＭＨｚで位相をずらしてサンプリングした色差信号Ｐｂと色差信号Ｐｒを合成して、１０ビットの色差合成信号ＰｂＰｒを生成する。つまり、各組が１０ビットの輝度信号Ｙと１０ビットの色差合成信号ＰｂＰｒとからなる４組の並列信号が生成される。
【００４０】
並列／直列変換部８は、１０ビットの輝度信号Ｙと１０ビットの色差合成信号ＰｂＰｒからなる４並列信号から、２０ビットの輝度色差合成信号（直列信号）ＹＰｂＰｒからなる４直列信号を生成する（ステップＳ７１３）。このようにして、２０ビットのＨＤＴＶデジタル直列信号（標準規格ＢＴＡ　Ｓ−００４Ｂ）を得る。
【００４１】
このＨＤＴＶデジタル直列信号標準規格ＢＴＡ　Ｓ−００４Ｂは、４直列伝送路９を介して伝送される（ステップＳ７１５）。ＨＤＴＶデジタル直列信号を伝送に用いれば、信号劣化のない状態で伝送ケーブルが４本と少なくて済み、取り扱いが容易になる。この時の各画素の駆動周波数は約１．５ＧＨｚ（７４．２５ＭＨｚ×２０＝直列信号の駆動周波数×直列信号のビット数）となる。
【００４２】
４直列伝送路９を介して伝送される４直列信号は、ＨＤＴＶ変換装置１０１に入力される。「４直列信号」とは、ＨＤＴＶデジタル直列信号が４並列という意味である。
【００４３】
ＨＤＴＶ変換装置１０１は、例えば並列入力した４つのＨＤＴＶデジタル直列信号を１つのＨＤＴＶデジタル直列信号に変換する（ステップＳ７３１）。一例として津幡技研工業株式会社（大阪府茨木市小柳町１−２）型名ＨＤ−Ｓ４ＭＶ／Ｍが挙げられる。ＨＤＴＶ変換装置１０１より出力された信号は標準のＨＤＴＶデジタル直列信号であるのでＨＤＴＶ表示装置１０２に入力すれば、標準ＨＤＴＶ画像を表示させることができる。
【００４４】
図５に示すように、ＨＤＴＶ変換装置１０１は、メモリー５１１，５１２、アドレス選択回路５１３、書き込みアドレス発生回路５１４、読み出しアドレス発生回路５１５から構成される。まず、メモリー５１１に４並列入力データを縦１０８０×横１９２０画素を１単位として４単位同時に並列書き込みする。次に、図６（Ｂ）に示す縦１０８０×横１９２０画素分のデータのみをメモリー５１１から読み出す。つまり、４並列ＨＤＴＶ直列入力データのいずれか１つを選択し、そのデータのみを読み出す。または図６（Ｃ）に示すように縮小して得られる縦１０８０×横１９２０画素分のデータのみをメモリー５１１から読み出す。メモリー５１２はメモリー５１１に対して、書き込みタイミング、読み出しタイミングを逆にする。こうすることによって、メモリー５１１に書き込みしているときに、メモリー５１２から読み出し、一方メモリー５１２に書き込みしているときに、メモリー５１１から読み出すことが可能となる。つまり、書き込み、読み出しのいずれについても時間的な連続性を確保することができる。
【００４５】
メモリー５１１，５１２の制御は、次のようにして行う。４並列ＨＤＴＶ直列入力データを書き込むために水平同期信号（ＨＤ），垂直同期信号（ＶＤ），クロック信号（Ｃｌｏｃｋ）などのＨＤＴＶ同期信号を書き込みアドレス発生回路５１４に送り、書き込みアドレスを発生させる。同様に、ＨＤＴＶ直列出力データを読み出すために水平同期信号（ＨＤ），垂直同期信号（ＶＤ），クロック信号（Ｃｌｏｃｋ）などのＨＤＴＶ同期信号を読み出しアドレス発生回路５１５に送り、読み出しアドレスを発生させる。これら２つのアドレスをアドレス選択回路５１３にＶＤと共に送る。アドレス選択回路５１３ではＶＤ毎に書き込み（Ｗ）／読み出し（Ｒ）が交互に行われるように、選択信号Ｗ／Ｒと反対のＲ／Ｗとを作り、この選択信号にあわせたアドレスをメモリー５１１またはメモリー５１２に送り、書き込みと読み出しがメモリー５１１，５１２のそれぞれで交互に行われるようにして出力を連続的なものとする。つまり、アドレス選択回路５１３は、（１）メモリー５１１へ書き込みアドレスを送るときは、メモリー５１２へ読み出しアドレスを送り、（２）メモリー５１２へ書き込みアドレスを送るときは、メモリー５１１へ読み出しアドレスを送る。
【００４６】
図６（Ａ）に示すように、ＨＤＴＶ変換装置１０１は、横３８４０個×縦２１６０個の画素からなる画面全体に出力可能な信号を、横１９２０個×縦１０８０個の画素からなる各分割エリア（Ｂ０〜Ｂ３）の１つと同じサイズの画面に出力可能な信号に変換する。図６（Ｂ）に示すように、分割エリアＢ０に出力されるべき画像を切り抜き、その切り抜き画像を移動させて、例えばその切り抜き画像の中心が画面全体の中心に一致するようにしても良い。この場合は、４つの分割エリアＢ０〜Ｂ３に対応する４組のデジタル直列信号の中から分割エリアＢ０に対応する１組のデジタル直列信号だけを選択し、その選択した１組のデジタル直列信号の全てのアドレスを右方向に画素９６０（１９２０÷２）個分、下方向に画素５４０（１０８０÷２）個分移動させれば良い。
【００４７】
また、図６（Ｃ）に示すように、ＨＤＴＶ変換装置１０１は、画面全体に出力されるべき画像を、分割エリアサイズに縮小しても良い。この場合は、４つの分割エリアＢ０〜Ｂ３に対応する４組のデジタル直列信号のそれぞれから必要なデジタル直列信号を抽出し、その抽出されたデジタル直列信号のアドレスに応じて移動量を算出する必要がある。
【００４８】
例えば、アドレスについては、
分割エリアＢ０の左上隅の画素に対応する信号のアドレスは、右方向に画素９６０個分、下方向に画素５４０個分移動させればよく；
分割エリアＢ１の右上隅の画素に対応する信号のアドレスは、左方向に画素９６０個分、下方向に画素５４０個分移動させればよく；
分割エリアＢ２の左下隅の画素に対応する信号のアドレスは、右方向に画素９６０個分、上方向に画素５４０個分移動させればよく；
分割エリアＢ３の右下隅の画素に対応する信号のアドレスは、左方向に画素９６０個分、上方向に画素５４０個分移動させればよい。
【００４９】
ＨＤＴＶ変換装置１０１から出力されたＨＤＴＶ直列信号は、直列伝送路１０を経由してカメラ側に送られる（ステップＳ７４１）。ＨＤＴＶ直列信号中の輝度信号、色差信号は、ＲＧＢ３原色信号に復調される（ステップＳ７４３）。復調されたＲＧＢ３原色信号は、デジタル信号からアナログ信号に変換される（ステップＳ７４５）。そして、このアナログ信号がビューファインダー３に入力されて（ステップＳ７４７）、ビューファインダー３にＨＤＴＶ画像が表示される。このようにして撮像全体を縮尺した画像および撮像全体の４分の１画像をビューファインダー３に表示させることができる。ビューファインダー３には例えばアストロデザイン株式会社（川崎市高津区新作４−１５−５）の液晶モニター、型名ＤＭ−３０００を用いることができる。
【００５０】
レンズ１，撮像部２からなるカメラと超高精細表示装置１０３との距離が長い場合、つまり伝送路９ａが長い場合、伝送途中における障害発生の有無をいち早く発見する必要がある。このような場合に、前記の如く、表示装置１０３に入力される信号と同じ信号の全部または一部をカメラ側のビューファインダー３に送り、その信号に基づいてビューファインダー３に表示させる画像を目視することによって、伝送途中における障害発生の有無をカメラ側で確認可能となる。
【００５１】
また、ＨＤＴＶ変換装置１０１から出力されたＨＤＴＶ直列信号中の輝度信号、色差信号をＲＧＢ３原色信号に復調し（ステップＳ７３３）、復調されたＲＧＢ３原色信号をデジタル信号からアナログ信号に変換し（ステップＳ７３５）、ＨＤＴＶ表示装置１０２に入力することによって（ステップＳ７３７）、ＨＤＴＶ表示装置１０２に画像を表示することもできる。
【００５２】
なお、超高精細表示装置１０３に入力された信号は、４直列信号から４並列信号に変換され（ステップＳ７２１）、４並列信号中の輝度信号・色差信号はＲＧＢ３原色信号に復調される（ステップＳ７２３）。復調されたＲＧＢ３原色信号は、４並列のデジタル信号であるが、これはアナログ信号に変換され（ステップＳ７２５）、超高精細表示装置に入力されて、画像が表示される（ステップＳ７２７）。
【００５３】
図８に示すように、第１の実施の形態における信号の変遷は、３並列ＲＧＢ３原色信号を１単位とする８並列信号が、８／４変換部６によって、３並列ＲＧＢ３原色信号を１単位とする４並列信号に変換される。そして、色差変換部７によって、３並列ＹＰｂＰｒ輝度色差信号を１単位とする４並列信号に変換される。さらに、並列／直列変換部８によって、直列ＹＰｂＰｒ輝度色差信号を１単位とする４並列信号に変換される。そしてさらにＨＤＴＶ変換装置１０１によって、１の直列ＹＰｂＰｒ輝度色差信号に変換される。
【００５４】
次に、本発明の第２の実施の形態を図９および図１０に基づいて説明する。
【００５５】
図９はレンズ１等からなるカメラ９００と超高精細表示装置１０３との距離が比較的短い、つまり伝送路９ｂが短いので、伝送途中における障害発生の可能性が低いため、表示装置１０３側に送られる信号に基づいて画像確認を行わなくて済む場合である。この場合、カメラ９００内にＨＤＴＶ変換部１１を設ける。ＨＤＴＶ変換部１１は、ＨＤＴＶ変換装置１０１を小型化してカメラ９００に内蔵可能としたものであり、ＨＤＴＶ変換装置１０１と同様の機能を有する。
【００５６】
図９に示す例では、並列／直列変換部８から出力された４直列信号は、ＨＤＴＶ変換部１１によって直列信号に変換され、ビューファインダー３に入力される。図１に示す例のように、４直列信号を表示装置１０３側で直列信号に変換してカメラ９００側に戻さなくとも良い。
【００５７】
図１０に第２の実施の形態における処理の流れを示す。図１０中の各ステップの処理の内容は、図７中の各ステップの処理の内容と同様であるから説明を省略する。図１０に示す第２の実施の形態の処理の流れと、図７に示す第１の実施の形態の処理の流れとの相違について説明する。かかる相違は、これら２つの図を対比すれば明らかなように、２つある。
【００５８】
第１の相違点は、４並列信号を４直列信号に変換した後（ステップＳ７１３）、４直列信号を１直列信号に変換する前に（ステップＳ７３１）、４直列伝送（ステップＳ７１５）を行うか否かである。長い伝送路を経て超高精細表示装置１０３に入力された実際の信号によって構成される画像を目視する必要がない第２の実施の形態においては、４並列信号を４直列信号に変換した後（ステップＳ７１３）、すぐに４直列信号を１直列信号に変換すれば良い（ステップＳ７３１）。第２の相違点は、ＨＤＴＶ表示装置１０２での画像表示が無い、つまり第２の実施の形態においてはステップＳ７３３からステップＳ７３７が不要という点である。
【００５９】
なお、上記の実施の形態においては、撮像領域を８分割したが、分割数は８に限定されるものではない。分割数は撮像素子の限界駆動周波数によってほぼ定まり、７４．２５ＭＨｚの場合は４以上、３７．１２５ＭＨｚの場合は８以上、１８．５６２５２５ＭＨｚの場合は１６以上という条件を満たす数であれば良い。
【００６０】
【発明の効果】
前記の如く、本発明によれば、ＨＤＴＶ方式の整数倍の撮像素子を用いて得られた画像信号を、縮小あるいは切り取ることによって、通常のＨＤＴＶ方式用のビューファインダーに表示させることが可能となる。
【図面の簡単な説明】
【図１】本発明の実施の形態にかかるビューファインダー表示システムの構成を示すブロック図である。
【図２】図１に示す撮像部の構成を示すブロック図である。
【図３】図１に示す８／４変換部の構成を示すブロック図である。
【図４】図１，図３に示す８／４変換部の入力データ、出力データを説明するための図である。
【図５】図１に示すＨＤＴＶ変換装置の構成を示すブロック図である。
【図６】図１，図３に示すＨＤＴＶ変換装置の入力データ、出力データを説明するための図である。
【図７】本発明の第１の実施の形態にかかるビューファインダー表示方法の処理の流れを示すフローチャートである。
【図８】本発明の第１の実施の形態において撮像部から出力される信号が表示部に入力されるまでにどのように変化するかを示す図である。
【図９】本発明の第２の実施の形態にかかるビューファインダー表示システムの構成を示すブロック図である。
【図１０】本発明の第２の実施の形態にかかるビューファインダー表示方法の処理の流れを示すフローチャートである。
【図１１】従来のビューファインダー表示方法の処理の流れを示すフローチャートである。
【符号の説明】
１…レンズ
２…撮像部
３…ビューファインダー
４…Ａ／Ｄ変換部
５…信号処理部
６…８／４変換部
７…色差変換部
８…並列／直列変換部
１０１…ＨＤＴＶ変換装置
１０２…ＨＤＴＶ表示装置
１０３…超高精細表示装置
【図１】
2004015301.tif 000003
【図２】
2004015301.tif 000004
【図３】
2004015301.tif 000005
【図４】
2004015301.tif 000006
【図５】
2004015301.tif 000007
【図６】
2004015301.tif 000008
【図７】
2004015301.tif 000009
【図８】
2004015301.tif 000010
【図９】
2004015301.tif 000011
【図１０】
2004015301.tif 000012
【図１１】
2004015301.tif 000013